(57)【要約】【課題】本発明は、現在使用中の部品に追加部品を増加させることなく、ディテントの作用を容易化することである。【解決手段】本発明によるディテント機構は、押入自在なレバー(1)を押入してディテントピン(3)を、固定ガイド体(2)のディテント用凹部(4)内に位置決めするようにしたディテント機構において、  前記レバー(1)のレバー径ときに(P)の径中心(P0)に対して前記ディテントピン(3)の軸中心(P1)を偏心させて、ディテントピン(3)に横荷重を発生させることにより、容易にディテント用凹部(4)内に位置決めさせる構成である。【選択図】図１
2018112771.tif 000002
【特許請求の範囲】
【請求項１】
押入自在に設けられ円柱のディテントピン(3)を有するレバー(1)と、前記ディテントピン(3)の下方に固定配設され複数のディテント用凹部(4)を有する固定ガイド体(2)と、前記固定ガイド体(2)の前記各ディテント用凹部(4)間に設けられた山部(5)と、前記ディテントピン(3)を前記ディテント用凹部(4)に対して付勢するため前記レバー(1)に設けられたスプリング(10)と、を備え、
前記レバー(1)を押入させた時に、前記ディテントピン(3)が前記ディテント用凹部(4)内で係合することにより、前記レバー(1)の位置決めを行うように構成したディテント機構において、
前記レバー(1)のレバー径(P)の径中心(P0)又はレバー幅(W)の幅中心(W0)に対して、前記ディテントピン(3)の軸中心(P1)を偏心させている構成としたことを特徴とするディテント機構。
【請求項２】
前記軸中心(P1)の前記偏心により、前記レバー(1)を押入した時に、前記ディテントピン(3)には横荷重(40)が付与される構成としたことを特徴とする請求項１記載のディテント機構。
【発明の詳細な説明】
【技術分野】
【０００１】
本発明は、ディテント機構に関し、特に、レバーに設けたディテントピンの軸中心を、レバーの径中心又は幅中心から偏心させることにより、ディテントピンとディテント用凹部との係合を容易化するための新規な改良に関する。
【背景技術】
【０００２】
従来、用いられていたこの種のディテント機構としては、例えば、特許文献１の「船用推進機のギアシフト装置」を挙げることができるが、これは、船用推進機のような重厚長大な構造であるため、本発明で用いている軽工業製品の分野におけるディテント機構を挙げることとし、実際には、例えば、図２に示される構造が採用されている。
すなわち、図２において、符号１で示されるものは、レバーであり、前記レバー１は円柱で形成されると共に、ディテント用としてのディテントピン３を有している。
また、ディテントの状態としては、種々あるが、ここでは、ガイド体２が固定で、前記レバー１を押入することにより、ディテントピン３が前記ガイド体２のディテント用凹部４に嵌り込むように構成することによって位置決めを行う場合について述べる。
【０００３】
すなわち、図２において符号１で示されるものは、柱状をなすレバーであり、このレバー１のレバー径Ｐの径中心Ｐ０又はレバー１のレバー幅Ｗの幅中心Ｗ０に対してディテントピン３の軸中心Ｐ１が一致するように、円柱状の前記ディテントピン３が点線で示される前記レバー１に設けられている。
前記レバー１の下方には、複数のディテント用凹部４が形成された固定ガイド体２が設けられている。
【０００４】
前記各ディテント用凹部４間に形成された山部５は、万年筆のペンと同様の形状からなり、前記山部５の両側に第１、第２テーパ部６,７が形成されていると共に、前記各テーパ部６,７間の頂部８には、前記ディテントピン３の円周面３ａが当接し、図３で特に示されるように、前記頂部８上に前記ディテントピン３が載置された状態となるように構成されている。
【０００５】
前述の図２の構成においては、前記レバー１のレバー径中心Ｐ０又はレバー幅中心Ｗ０は、前記ディテントピン３の軸中心Ｐ１と一致している。
【先行技術文献】
【特許文献】
【０００６】
【特許文献１】実開平３−８６２３５号公報
【発明の概要】
【発明が解決しようとする課題】
【０００７】
従来のディテント機構は、以上のように構成されているため、次のような課題が存在していた。
すなわち、前述のように、前記ディテントピン３の軸中心Ｐ１と前記レバー１の径中心Ｐ０及び幅中心Ｗ０が一致しているため、図２及び図３のように、有底筒体３０内に設けられ、前記ディテントピン３を押圧しているスプリング１０によって前記ディテントピン３が前記山部５の頂部８でバランスＢを取ってしまうことがあり、前記ディテントピン３が前記頂部８で保持され、前記ディテント用凹部４内に前記ディテントピン３が誘導されなくなることがあった。
【０００８】
前述の図２及び図３における従来構成は、以上のような課題を解決するためになされたもので、特に、レバーに設けたディテントピンの軸中心を、レバーの径中心又は幅中心から偏心させることにより、ディテントピンをディテント用凹部内への係合を容易化するようにしたディテント機構を提供することを目的とする。
【課題を解決するための手段】
【０００９】
本発明によるディテント機構は、押入自在に設けられ円柱のディテントピンを有するレバーと、前記ディテントピンの下方に固定配設され複数のディテント用凹部を有する固定ガイド体と、前記固定ガイド体の前記各ディテント用凹部間に設けられた山部と、前記ディテントピンを前記ディテント用凹部に対して付勢するため前記レバーに設けられたスプリングと、を備え、前記レバーを押入させた時に、前記ディテントピンが前記ディテント用凹部内で係合することにより、前記レバーの位置決めを行うように構成したディテント機構において、前記レバーのレバー径Ｐの径中心Ｐ０又はレバー幅Ｗの幅中心Ｗ０に対して、前記ディテントピンの軸中心を偏心させている構成であり、また、前記軸中心の前記偏心により、前記レバーを押入した時に、前記ディテントピンには横荷重が付与される構成である。
【発明の効果】
【００１０】
本発明によるディテント機構は、以上のように構成されているため、次のような効果を得ることができる。
すなわち、押入自在に設けられ円柱のディテントピンを有するレバーと、前記ディテントピンの下方に固定配設され複数のディテント用凹部を有する固定ガイド体と、前記固定ガイド体の前記各ディテント用凹部間に設けられた山部と、前記ディテントピンを前記ディテント用凹部に対して付勢するため前記レバーに設けられたスプリングと、を備え、前記レバーを押入させた時に、前記ディテントピンが前記ディテント用凹部内で係合することにより、前記レバーの位置決めを行うように構成したディテント機構において、前記レバーのレバー径Ｐの径中心Ｐ０又はレバー幅Ｗの幅中心Ｗ０に対して、前記ディテントピンの軸中心を偏心させている構成としたことにより、前記各中心間のズレによって横荷重が発生し、ディテントピンがディテント用凹部内に容易に誘導されて、ディテント用凹部に対するディテントピンの位置決めを確実化することができる。
また、前述のように、レバー径の径中心又はレバー幅の幅中心に対してディテントピンの軸中心を偏心させて前記横荷重を得ているため、現存の製品に何らの部品等を加えることなく、レバーにおける安定的なディテント作用を得ることができる。
【図面の簡単な説明】
【００１１】
【図１】本発明によるディテント機構を示す概略構成図である。
【図２】従来のディテント機構を示す概略構成図である。
【図３】図２の要部の拡大図である。
【発明を実施するための形態】
【００１２】
本発明によるディテント機構は、レバーに設けたディテントピンの軸中心を、レバーの径中心又は幅中心から偏心させることにより、ディテントピンのディテント用凹部への係合を容易化することである。
【実施例】
【００１３】
以下、図面と共に本発明によるディテント機構の好適な実施の形態について説明する。
尚、従来例と同一又は同等部分には、同一符号を付して説明する。
図１において、符号１で示されるものは円柱状をなすレバーであり、前記レバー１は、円柱状の場合には、そのレバー径Ｐが表示され、円柱以外ではその幅Ｗが表示され、前記レバー径Ｐの中心は径中心Ｐ０で表示され、さらに、前記幅Ｗの中心は幅中心Ｗ０で表示されている。
【００１４】
前記レバー１の下方には、複数のディテント用凹部４を有する固定ガイド体２が固定して設けられている。
【００１５】
前記各ディテント用凹部４間に形成された山部５は、万年筆のペンと同様の形状からなり、前記山部５の両側に第１、第２テーパ部６,７が形成されていると共に、前記各テーパ部６,７間の頂部８には、前記レバー１の押入時の前記ディテントピン３の円周面３ａが当接し、前記頂部８上に前記ディテントピン３が位置した状態となる。
また、前記レバー１の内部に形成された案内孔３１内にはスプリング１０を内蔵した有底筒体３２がレバー１の押入とは独立して矢印Ａの方向に押入可能に構成されている。
【００１６】
図１の状態では、前記レバー１が押入され、ディテントピン３を前記ディテント用凹部４内に押入して前記レバー１の位置決めを行う前の状態を示し、前述の状態でさらに前記レバー１を下方へ押入すると、前記スプリング１０の押圧力が有低部３２ａを介してディテントピン３の円周面３ａを、前記軸中心Ｐ1のズレによって発生する横荷重４０によって前記ディテントピン３が図で左方向に前記第１テーパ部６上を滑落し、前記ディテント用凹部４内へ位置決めされる。
【００１７】
前述のように、前記ディテントピン３が第１テーパ部６を経てディテント用凹部４に位置すると同時に、前記レバー１は、直線状に曲折した状態の軌跡（図示せず）を描きつつ押入される。
また、前記レバー１の位置決め時は、スプリング１０が下方へ伸びつつ行われるが、前記レバー１を元に戻す動作を行う場合には、前記スプリング１０が縮む方向に作用するため、前記レバー１は、前記ディテントピン３の位置決め動作時の軌跡に沿って元の位置に戻ることができる。
尚、本発明のディテント機構は、飛行機等の産業用機器に用いられる構成のため、固定したガイド体２として構成されているが、ガイド体２を回転式とすることもできる。
【００１８】
従って、前記レバー１及びディテントピン３は、常に、矢印Ａの方向に向けて付勢された状態となり、前記ディテントピン３が前記ディテント用凹部４内に嵌り込んで着座した状態で、ガイド体２の所定位置に対する位置決めを行うことができるように構成されている。
【００１９】
尚、本発明の要旨とするところは、以下の通りである。
すなわち、押入自在に設けられ円柱のディテントピン３を有するレバー１と、前記ディテントピン３の下方に固定配設され複数のディテント用凹部４を有する固定ガイド体２と、前記固定ガイド体２の前記各ディテント用凹部４間に設けられた山部５と、前記ディテントピン３を前記ディテント用凹部４に対して付勢するため前記レバー１に設けられたスプリング１０と、を備え、前記レバー１を押入させた時に、前記ディテントピン３が前記ディテント用凹部４内で係合することにより、前記レバー１の位置決めを行うように構成したディテント機構において、前記レバー１のレバー径Ｐの径中心Ｐ０又はレバー幅Ｗの幅中心Ｗ０に対して、前記ディテントピン３の軸中心Ｐ１を偏心させている構成であり、また、前記軸中心Ｐ１の前記偏心により、前記レバー１を押入した時に、前記ディテントピン３には横荷重４０が付与されるようにした構成である。
【産業上の利用可能性】
【００２０】
本発明によるディテント機構は、レバーの軸中心又は径中心に対して、ディテントピン３の軸中心をレバーの径中心からずらせて偏心させてあるため、レバーを押入すると、ディテントピンに対して横荷重がかかるため、従来と異なるアンバランス方向にディテントピンが滑落してディテント用凹部内にディテントピンが容易に位置決めされ、位置決めの容易なディテント機構を得ることができる。
【符号の説明】
【００２１】
１    レバー
１ａ    外面
２    固定ガイド体
３    ディテントピン
３ａ    円周面
４    ディテント用凹部
５    山部
６    第１テーパ部
７    第２テーパ部
８    頂部
１０    スプリング
１０ａ    上端
３２    有底筒体
３２ａ    有底部
４０    横荷重
Ｐ    レバー径
Ｗ    レバー幅
Ｐ０    径中心
Ｐ１    軸中心（ディテントピン用）
Ｗ０    幅中心
Ｇ    距離（ズレ量）
【図１】
2018112771.tif 000003
【図２】
2018112771.tif 000004
【図３】
2018112771.tif 000005